(57)【要約】【課題】指が意図せず他の領域にずれたとしても電子機器の誤動作を防ぐことができる電子機器を提供する。【解決手段】タッチセンサ１３に第１の領域内に第２及び第３の領域が設けられ、第２及び第３の領域に電子機器に対して所定の動作を実行させるための機能が割り当てられる。制御部１は、第２及び第３の領域にそれぞれの機能が割り当てられ、タッチセンサ１３に対して非接触の状態で、第２または第３の領域の内の一方である特定領域が触れられたことを検出した際には、電子機器に対して特定領域に割り当てられた機能を実行させ、特定領域が触れられた状態に続き、連続的に第２または第３の領域の内の他方の領域が触れられたことを検出した際には、電子機器に対して他方の領域に割り当てられた機能を実行させず、特定領域に割り当てられた機能の実行を維持するよう制御する。【選択図】図１
2014135076.tif 000002
【特許請求の範囲】
【請求項１】
タッチセンサに対して非接触の状態から前記タッチセンサにおける第１の領域が触れられて行われた第１の操作に応じて、第１の動作を実行させる処理と、
前記タッチセンサに対して非接触の状態から前記タッチセンサにおける第２の領域が触れられて行われた第２の操作に応じて、第２の動作を実行させる処理と、
前記タッチセンサに対して非接触の状態から前記タッチセンサにおける第１の領域が触れられてから前記タッチセンサに対して接触している状態を維持して前記第２の領域が触れられた場合には、前記第２の動作を実行しないよう制御する処理と
を行う制御部と、
前記第１の動作に関連付けられた指標と、前記第２の動作に関連付けられた指標とを表示する表示部と
を備え、
前記制御部は、前記第１の動作に関連付けられた指標と、前記第２の動作に関連付けられた指標とを前記表示部が表示している状態において、前記タッチセンサに対して非接触の状態から前記第１の領域が触れられたことに応じて、前記第２の動作に関連付けられた指標を消去するよう前記表示部を制御する、
ことを特徴とする電子機器。
【発明の詳細な説明】
【技術分野】
【０００１】
本発明は、電子機器、制御方法、プログラムに関する。
【背景技術】
【０００２】
タッチセンサを用いて所望の操作を行う電子機器が普及している。タッチセンサで電子機器を操作し、電子機器に対して所望の動作を行わせる操作制御方法は、タッチセンサの複数の領域に対して任意の操作ボタンの役割を割り当てることができる等の利点がある反面、ユーザが意図していない箇所に触れてしまう等の誤操作が発生しやすい。
ユーザの誤操作を防ぐ方法の一例として、特開平１１−１７５２１２号公報には、入力を確定させるための領域を設けることが記載されている。
【先行技術文献】
【特許文献】
【０００３】
【特許文献１】特開平１１−１７５２１２号公報
【発明の概要】
【発明が解決しようとする課題】
【０００４】
電子機器の一例として、タッチセンサを用いた撮像装置において、ユーザはタッチセンサを見ず、被写体又は被写体の撮像画像を見ながらタッチセンサを操作する場合がある。このような場合、タッチセンサに触れて撮像装置を操作している際にユーザの指がタッチセンサの意図しない領域へとずれてしまうことが起こり得る。すると、撮像装置に対して意図しない操作入力が行われてしまい、撮像装置を意図通りに制御できなかったり、撮像装置が意図しない動作を行ったりすることとなる。
【０００５】
本発明はこのような課題に鑑みなされたものであり、ユーザがタッチパネルの所望の領域に触れて電子機器を操作している際に、指が意図せず他の領域にずれたとしても電子機器の誤動作を防ぐことができる電子機器、制御方法、プログラムを提供することを目的とする。
【課題を解決するための手段】
【０００６】
本発明は上述した従来の技術の課題を解決するため、タッチセンサに対して非接触の状態から前記タッチセンサにおける第１の領域が触れられて行われた第１の操作に応じて、第１の動作を実行させる処理と、前記タッチセンサに対して非接触の状態から前記タッチセンサにおける第２の領域が触れられて行われた第２の操作に応じて、第２の動作を実行させる処理と、前記タッチセンサに対して非接触の状態から前記タッチセンサにおける第１の領域が触れられてから前記タッチセンサに対して接触している状態を維持して前記第２の領域が触れられた場合には、前記第２の動作を実行しないよう制御する処理とを行う制御部と、前記第１の動作に関連付けられた指標と、前記第２の動作に関連付けられた指標とを表示する表示部とを備え、前記制御部は、前記第１の動作に関連付けられた指標と、前記第２の動作に関連付けられた指標とを前記表示部が表示している状態において、前記タッチセンサに対して非接触の状態から前記第１の領域が触れられたことに応じて、前記第２の動作に関連付けられた指標を消去するよう前記表示部を制御する、ことを特徴とする電子機器を提供する。
【発明の効果】
【０００７】
本発明の電子機器、制御方法、プログラムによれば、ユーザがタッチパネルの所望の領域に触れて電子機器を操作している際に、指が意図せず他の領域にずれたとしても電子機器の誤動作を防ぐことができる。
【図面の簡単な説明】
【０００８】
【図１】本発明の各実施形態の構成を示すブロック図である。
【図２】本発明の第１実施形態の電子機器について説明するための図である。
【図３】本発明の各実施形態の動作を説明するためのフローチャートである。
【図４】本発明の第２実施形態の電子機器について説明するための図である。
【発明を実施するための形態】
【０００９】
以下、本発明の電子機器、制御方法、プログラムについて、添付図面を参照して説明する。
【００１０】
＜第１実施形態＞
図１に示す第１実施形態は電子機器として撮像装置を例としたものである。
図１において、図示していない被写体からの光は光学部２のレンズ２１０，２３０によって集光される。光学部２は複数のレンズ２１０，２３０の間に絞り２２０を有する。ここでは、レンズを２枚のみ図示しているが一般的にはさらに多くのレンズを備える。光学部２によって集光された光はＣＣＤ等の撮像素子５に入射される。撮像素子５は入射された光信号を電気的な画素信号に変換し、Ａ／Ｄ変換部６へ出力する。
【００１１】
Ａ／Ｄ変換部６は入力された画素信号をデジタルの画素信号へ変換し、映像信号処理部７へ入力する。映像信号処理部７はＡ／Ｄ変換部６から入力された画素信号に基づいて所定の形式の映像信号（例えばＲＧＢ信号）を生成し、各種の信号処理を施してＤ／Ａ変換部８及び顔検出部９へ出力する。
【００１２】
顔検出部９は映像信号処理部７から入力された映像信号に基づいて画像の肌色部分を検出したり、周知のパターン認識技術を用いたりして被写体を撮像した画像に含まれている人物の顔を検出し、顔検出情報を制御部１へ出力する。Ｄ／Ａ変換部８は入力された映像信号をアナログの映像信号へ変換してオンスクリーンディスプレイ（ＯＳＤ）重畳部１１へ出力する。
【００１３】
タッチセンサ１３は、ユーザからの入力があると、その操作情報を制御部１内の入力処理部１０２へ出力する。入力処理部１０２は、後に説明するように、入力された操作情報に所定の処理を施す。タッチセンサ１３には例えば静電容量式のタッチセンサを用いることができる。図１のタッチセンサ１３はタッチセンサを模式的に示したものである。
【００１４】
制御部１は表示制御部１０１、入力処理部１０２を有する。制御部１には例えばマイクロプロセッサを用いることができる。制御部１は１つのマイクロプロセッサで構成しても良いし、複数のマイクロプロセッサで構成しても良い。表示制御部１０１は、操作情報に応じて、ＯＳＤ発生部１０を制御する。
【００１５】
ＯＳＤ発生部１０は表示制御部１０１による制御に基づいてＯＳＤ信号を作成し、作成したＯＳＤ信号をＯＳＤ重畳部１１へ出力する。ＯＳＤ重畳部１１はＤ／Ａ変換部８から入力された映像信号にＯＳＤ発生部１０から入力されたＯＳＤ信号を重畳し、表示部１２へ供給する。そして、表示部１２はＯＳＤ重畳部１１から供給された映像信号に基づく映像を表示する。
【００１６】
また、制御部１は、タッチセンサ１３からの操作情報や、顔検出部９からの顔検出情報を基に、モータ３を駆動するための制御信号をモータ駆動部４へ出力する。モータ駆動部４は制御部１から入力された制御信号を基にモータ３を駆動する。モータ３はモータ駆動部４によって駆動されることで光学部２のレンズ２１０，２３０を動かしたり、絞り２２０の開口の大きさを調整したりする。このように、光学部２は、レンズ２１０，２３０及び絞り２２０が動かされることによってフォーカス、ズーム倍率、露出を変更する。このように光学部２、モータ３、モータ駆動部４がズーム手段となる。本実施形態では以上のように光学的な手法を用いたズーム手段を例とするが、電子的な手法を用いたズーム手段や、光学的な手法を用いたズーム手段と電子的な手法を用いたズーム手段とを組み合わせたズーム手段を用いても良い。
【００１７】
図１及び図２（Ａ）、（Ｂ）を用いて、本実施形態の電子機器の構成及び動作についてさらに説明する。図２（Ａ）において、筐体１００には表示部１２及びタッチセンサ１３以外の各部が収納されている。筐体１００に対して開閉自在のモニタ部６０には表示部１２とタッチセンサ１３が設けられている。タッチセンサ１３は表示部１２に隣接して配置されている。タッチセンサ１３は所定の大きさ（領域）を有し、内部的に二点鎖線で示す４つの領域２１〜２４に分けられている。領域２１〜２４はそれぞれ図１における可変抵抗１３１〜１３４に対応している。ユーザの指５０がそれぞれの領域に触れると、図示しないコンデンサに蓄えられた電荷の変化に伴い、可変抵抗１３１〜１３４の抵抗値が変化し、可変抵抗１３１〜１３４の両端に生じる電圧値が変化する。入力処理部１０４は、その電圧値を検出することで指５０が触れた位置を検出することができる。
【００１８】
表示部１２は、被写体の画像と共に、ＯＳＤであるガイド画像２０１〜２０４を表示する。また、それぞれの領域２１〜２４には電子機器（撮像装置）が動作する際の機能が割り当てられている。ガイド画像２０１、ガイド画像２０２、ガイド画像２０３、ガイド画像２０４は、それぞれ、領域２１、領域２２、領域２３、領域２４に割り当てられた機能を示している。ここではガイド画像２１〜２４は、それぞれの機能を示す文字を含むものとしたがアイコン等の記号であっても良い。
【００１９】
まず、個々の領域２１〜２４それぞれに割り当てられた機能について説明する。ここでは、指５０がタッチセンサ１３に触れていない状態で領域２１〜２４のいずれかに触れた場合の動作について説明する。なお、図２（Ａ）、（Ｂ）における領域２１〜２４に割り当てられた機能は一例である。領域２１〜２４に割り当てられる機能は電子機器の状態に応じて適宜変更されても良い。
【００２０】
図２（Ａ）において、領域２１と領域２２とを含む領域２５にはズーム機能が割り当てられている。領域２１と領域２２には、領域２５に割り当てられるズーム機能の下位機能である望遠側ズーム機能と広角側ズーム機能が割り当てられている。領域２３には顔認識機能が割り当てられ、領域２４には自動露出機能（ＡＥ）が割り当てられている。
【００２１】
指５０が領域２１に触れると、タッチセンサ１３の可変抵抗１３１の両端に生じる電圧の変化から、制御部１内の入力処理部１０４は、指５０が領域２１に触れたことを検出する。それを受けて制御部１はズームを望遠側にするための制御信号をモータ駆動部４へ出力する。モータ駆動部４は制御部１から入力された制御信号を基にモータ３を駆動する。モータ３はモータ駆動部４によって駆動されることで光学部２のレンズ２１０，２３０を動かす。このように、光学部２は、レンズ２１０，２３０が動かされることによってズーム倍率を所定の量だけ望遠側へ変化する。
【００２２】
制御部１は、領域２１に指５０が触れ続けていると、ズームを望遠側にするための制御信号を出力し続ける。よって、指５０が領域２１に触れ続けていると、ズーム倍率が最大になるまで、所定のスピードでズーム倍率が大きくなっていく。
【００２３】
指５０が領域２２に触れると、タッチセンサ１３の可変抵抗１３２の両端に生じる電圧の変化から、制御部１内の入力処理部１０４は、指５０が領域２２に触れたことを検出する。それを受けて制御部１はズームを広角側にするための制御信号をモータ駆動部４へ出力する。モータ駆動部４は制御部１から入力された制御信号を基にモータ３を駆動する。モータ３はモータ駆動部４によって駆動されることで光学部２のレンズ２１０，２３０を動かす。このように、光学部２は、レンズ２１０，２３０が動かされることによってズーム倍率を所定の量だけ広角側へ変化する。
【００２４】
制御部１は、領域２２に指５０が触れ続けていると、ズームを広角側にするための制御信号を出力し続ける。よって、指５０が領域２２に触れ続けていると、ズーム倍率が最小になるまで、所定のスピードでズーム倍率が小さくなっていく。
【００２５】
指５０が領域２３に触れると、タッチセンサ１３の可変抵抗１３３の両端に生じる電圧の変化から、制御部１内の入力処理部１０２は、指５０が領域２３に触れたことを検出する。それを受けて制御部１は顔検出部９に顔検出機能を開始させる。顔検出部９は映像信号処理部７から入力された映像信号を元に画像の肌色部分を検出したり、周知のパターン認識技術を用いたりして被写体に含まれている人物７０の顔を検出し、顔検出情報を制御部１へ出力する。
【００２６】
制御部１は、顔検出情報を基に、フォーカスを検出した顔に合わせるための制御信号をモータ駆動部へ出力する。モータ駆動部４は制御部１から入力された制御信号を基にモータ３を駆動する。モータ３はモータ駆動部４によって駆動されることで光学部２のレンズ２１０，２３０を動かす。このように、光学部２は、レンズ２１０，２３０が動かされることでフォーカスを検出した顔へ合わせる。指５０が再度、領域２３に触れると、制御部１は顔検出部９に顔検出機能を終了させる。
【００２７】
指５０が領域２４に触れると、タッチセンサ１３の可変抵抗１３４の両端に生じる電圧の変化から、制御部１内の入力処理部１０４は、指５０が領域２４に触れたことを検出する。それを受けて制御部１は図示しない被写体の状況に合わせた露出調整をするために、絞り２２０を調整するための制御信号をモータ駆動部へ出力する。モータ駆動部４は制御部１から入力された制御信号を基にモータ３を駆動する。モータ３はモータ駆動部４によって駆動されることで光学部２の絞り２２０を動かす。このように光学部２は、絞り２２０が動かされることで露出量を調整する。
【００２８】
次に、図２（Ａ）及び図３のフローチャートを用いて、意図的に又は意図せずにユーザがタッチセンサ１３をなぞる場合を含めた、本実施形態の動作について説明する。
図３において、電子機器（撮像装置）の電源がオンになると、ステップＳ３０１にて制御部１内の入力処理部１０４は、タッチセンサ１３への入力の検出動作を開始する。その後、入力処理部１０２はステップＳ３０２にて指５０がタッチセンサ１３のいずれかの領域に触れて、入力がオンになったか否かを判断し、触れていなければ（Ｎｏ）、検出動作を続ける。
【００２９】
指５０がタッチセンサ１３のいずれかの領域に触れて、入力がオンになると（Ｙｅｓ）、ステップＳ３０３に移る。タッチセンサ１３に対して、指５０が非接触の状態で、いずれかの領域が触れられた場合、その触れられた領域は特定領域となる。本実施形態では、特定領域は領域２３，２４，２５のいずれかである。
フローチャートには示していないがここで入力処理部１０４は入力があった領域を図示しないメモリに記憶させる。メモリは制御部１内に存在しても良いし、制御部１外に存在しても良い。すでにメモリがいずれかの領域を記憶している場合はその記憶を現在触れた領域に更新する。
ステップＳ３０３にて、制御部１は指５０が触れている位置に応じた動作を各部に実行させる。
【００３０】
つまり、ステップＳ３０３にて、指５０が触れているのが領域２５内の領域２１であった場合、制御部１は、ズーム倍率を望遠側へ変化させる。指５０が触れているのが領域２５内の領域２２であった場合、制御部１は、ズーム倍率を広角側へ変化させる。
【００３１】
また、ステップＳ３０３にて、指５０が触れているのが領域２３であり、現在、顔検出機能がオフである場合、制御部１は、顔検出部９の顔検出機能をオンにする。指５０が触れているのが領域２３であり、現在、顔検出機能がオンである場合、制御部１は、顔検出部９の顔検出機能をオフにする。指５０が触れているのが領域２４であり、現在、自動露出機能がオフである場合、制御部１は自動露出機能をオンにする。指５０が触れているのが領域２４であり、現在、自動露出機能がオンである場合、制御部１は自動露出機能をオフにする。
【００３２】
次に、ステップＳ３０４にて、入力処理部１０２は指５０がタッチセンサ１３から離れ、入力がオフになったか否かを判断する。指５０がタッチセンサから離れた場合（Ｙｅｓ）、ステップＳ３０２へ戻る。指５０がタッチセンサ１３から離れていない場合（Ｎｏ）、ステップＳ３０５へ移る。
【００３３】
ステップＳ３０５にて、入力処理部１０２は、指５０がタッチセンサ１３に触れたまま最初に触れた領域から連続的に移動し、別の領域へ移動したか否かを判断する。指５０が最初に触れた領域から連続的に移動していない場合（Ｎｏ）、ステップＳ３０４へ戻る。指５０が最初に触れた領域から連続的に移動した場合（Ｙｅｓ）、ステップＳ３０６へ移る。
【００３４】
次に、入力処理部１０２はステップＳ３０６にて最初に指５０が触れたのがタッチセンサ１３のどの領域であったかを判断する。最初に指５０が触れた領域とはステップ３０２にて触れた領域（特定領域）であり、図示しないメモリに記憶されている領域である。領域２３又は領域２４への入力である場合、ステップＳ３０９に移る。
【００３５】
ステップＳ３０９にて入力処理部１０２は、操作情報を、指５０が現在触れているのは移動先の領域に対応した操作情報ではなく、最初に指５０が触れた領域に対応した操作情報に置き換える。これにより、制御部１は最初に指５０が触れた領域に触れ続けているとして電子機器を制御する。その結果、制御部１は、移動先の領域に応じた動作を各部へ実行させない。その後、ステップＳ３０４へ戻る。
【００３６】
ステップＳ３０６にて領域２１又は領域２２への入力であった場合、ステップＳ３０７に移る。
【００３７】
ステップＳ３０７にて、入力処理部１０２は指５０がどの領域からどの領域へ移動したのかを判断する。指５０の移動が領域２１から領域２２、又は、領域２２から領域２１への移動であった場合、ステップＳ３０３に戻り、制御部１は、現在触れている領域である、指５０の移動先の領域に応じた動作を各部へ実行させる。
【００３８】
領域２２から領域２３への移動、領域２３から領域２２への移動、領域２３から領域２４への移動、領域２４から領域２３への移動のいずれかであるその他の移動である場合（その他の領域間）、ステップＳ３０８へ移り、入力処理部１０２は、操作情報を、指５０が現在触れているのは移動先の領域に対応した操作情報ではなく、最初に指５０が触れた領域に対応した操作情報に置き換える。これにより制御部１は最初に指５０が触れた領域に触れ続けているとして電子機器を制御する。その結果、制御部１は現在行っている動作を維持するよう各部を制御する。その後、ステップＳ３０４へ戻る。
【００３９】
以上のような制御を行うため、最初に指５０が、ズームに関連する機能が割り当てられた領域２１又は領域２２に触れた場合、指５０がタッチパネル１３から離れるまで、指５０がズームに関連しない機能が割り当てられた領域２３又は領域２４へずれてしまっても、ズームに関連する機能を継続して行うことができる。
【００４０】
また、最初に指５０が、領域２３又は領域２４に触れた場合、指５０がタッチパネル１３に触れ続けていれば、指５０が他の領域へずれてしまっても、他の機能は動作しない。従って、誤動作を防ぐことができる。
【００４１】
また、ステップＳ３０２にて指５０がタッチセンサ１３に触れ（Ｙｅｓ）、その触れた領域が領域２１又は領域２２であった場合、ステップＳ３０３にて表示制御部１０１は、図２（Ｂ）に示すようにガイド画像２０３とガイド画像２０４を消去してガイド画像２０１及びガイド画像２０２のみを表示するようにしても良い。この場合、ステップＳ３０３は、領域２１又は領域２２が触れられたことが検出された際に、領域２３及び領域２４に割り当てられた機能を表すガイド画像を消去するステップを含む。
【００４２】
＜第２実施形態＞
図４を用いて、第２実施形態の電子機器について説明する。図４（Ａ）に示すように本実施形態の電子機器は領域２１〜２４が２次元状に配置されたタッチセンサ１３０を備える。
これに対応して、ガイド画像２０１〜２０４を２行２列に配置するように表示している。それ以外は第１実施形態の電子機器と同様である。
【００４３】
また、指５０が最初に触れた領域が領域２２であった場合、表示制御部１０１は、図４（Ｂ）に示すようにガイド画像２０３とガイド画像２０４を表示させないようにして、ガイド画像２０２の変わりにガイド画像２１２のような範囲の広いガイド画像を表示させるようにしても良い。入力処理部１０２を含む制御部１が施す処理もそれに応じて変更する。
【００４４】
指５０が最初に触れた領域が領域２１又は領域２２であった場合、表示制御部１０１は、図４（Ｃ）に示すようにガイド画像２０３とガイド画像２０４を表示させないようにして、ガイド画像２０１の変わりに範囲の広いガイド画像２２１、ガイド画像２０２の変わりに範囲の広いガイド画像２２２を表示させるようにしても良い。入力処理部１０２を含む制御部１が施す処理もそれに応じて変更する。
【００４５】
本発明は以上説明した各実施形態に限定されることはなく、本発明の要旨を逸脱しない範囲において種々変更が可能である。例えば、透明なタッチセンサを用いて、タッチセンサと表示部とを重ねて配置する構成にしても良い。制御部１によって各種構成要素を制御しているが複数の制御部によって各種構成要素を制御するようにしても良い。本実施形態ではユーザの指でタッチパネルを操作したが、ペンなどの棒状のものでタッチパネルを操作しても良い。
【符号の説明】
【００４６】
１  制御部
１３  タッチセンサ
２１〜２５  領域
１０１  表示制御部
【図１】
2014135076.tif 000003
【図２】
2014135076.tif 000004
【図３】
2014135076.tif 000005
【図４】
2014135076.tif 000006